(57)【要約】【課題】あらかじめ認証のための識別情報を記憶させる必要がなく、設定のコストを抑えながら、放送データの補完を実現することのできる放送送信装置および放送受信装置を提供すること。【解決手段】受信に失敗した放送データの一部を通信網を介して補完する放送受信装置１００であって、映像データおよび音声データを放送として受信する放送受信手段１０１と、放送受信手段１０１における前記映像データまたは前記音声データの受信が欠落した区間を記憶しておき、当該区間に対する補完要求を生成する補完制御部１０３と、前記通信網を介して、補完制御部１０３で生成された補完要求を送信し、前記通信網から前記補完要求に対する応答を受信する通信送受信手段１０２とを備え、補完制御部１０３が生成する補完要求は、前記映像データまたは前記音声データに基づく内容を持つ補完許可情報を含む構成を有する。【選択図】図１
2011114358.tif 000002
【特許請求の範囲】
【請求項１】
放送による受信に失敗した放送データの一部を放送とは別の通信網を介して補完する通信放送連携システムの放送受信装置であって、
映像データおよび音声データを放送として受信する放送受信手段と、
前記放送受信手段における前記映像データまたは前記音声データの受信が欠落した区間を記憶しておき、当該区間に対する補完要求を生成する補完制御部と、
前記通信網を介して、前記補完制御部で生成された補完要求を送信し、前記通信網から前記補完要求に対する応答を受信する通信送受信手段とを備え、
前記補完制御部が生成する補完要求は、前記映像データまたは前記音声データに基づく内容を持つ補完許可情報を含むことを特徴とする放送受信装置。
【請求項２】
補完許可情報を前記放送受信手段から放送として受信し、前記補完制御部に前記補完許可情報を記憶する補完許可情報記憶手段を備えることを特徴とする請求項１記載の放送受信装置。
【請求項３】
前記補完制御部に補完許可情報生成手段を備え、前期補完許可情報生成手段は前記放送受信手段から放送として受信した映像データや音声データから、補完許可情報を生成することを特徴とする請求項１記載の放送受信装置。
【請求項４】
前記補完制御部は、前記放送受信手段から放送として受信した、補完許可情報を生成する方法を用いて、補完許可情報を生成することを特徴とする請求項３記載の放送受信装置。
【請求項５】
前記補完制御部は、前記通信送受信手段から受信した、補完許可情報を生成する方法を用いて、補完許可情報を生成することを特徴とする請求項３記載の放送受信装置。
【請求項６】
放送による送受信に失敗した放送データの一部を放送とは別の通信網を介して補完する、通信放送連携システムの放送送信装置であって、
映像データおよび音声データを放送として送信する放送送信手段と、
前記通信網を介して、放送受信装置から前記通信網を介して補完要求を受信し、前記補完要求に対する応答を送信する通信送受信手段と、
前記放送受信装置からの補完要求に対して補完処理を実施するかどうかの判定を行う補完制御部とを備え、
前記補完制御部は、前記映像データまたは音声データに基づく内容を持つ補完許可情報により、前記放送受信装置からの補完要求に対して補完処理を実施するかどうかの判定を行うことを特徴とする放送送信装置。
【請求項７】
前記補完制御部に補完許可情報を生成する補完許可情報生成手段を備え、前記補完許可情報を前記放送送信手段から放送として送信することを特徴とする請求項６記載の放送送信装置。
【請求項８】
前記放送送信手段は、前記放送受信装置において補完許可情報を生成する方法を放送として送信することを特徴とする請求項６記載の放送送信装置。
【請求項９】
前記通信送受信手段は、前記放送受信装置において補完許可情報を生成する方法を送信することを特徴とする請求項６記載の放送送信装置。
【請求項１０】
前記補完制御部が生成する補完要求が含む補完許可情報が、広告目的の映像データまたは音声データに基づくことを特徴とする請求項１乃至請求項５記載の放送受信装置。
【請求項１１】
前記補完制御部が補完処理を実施するかどうかの判定に用いる補完要求が、広告目的の映像データまたは音声データに基づくことを特徴とする請求項６乃至請求項９記載の放送送信装置。
【発明の詳細な説明】
【技術分野】
【０００１】
本発明は、通信と放送の連携システムに関し、特に映像や音声コンテンツの記録に関するものである。
【背景技術】
【０００２】
近年、ワンセグ放送の普及に伴って、放送受信機能を有する携帯端末が多くなってきている。ワンセグ放送は通常の地上デジタル放送と同様にＭＰＥＧ２システムに準拠し、ＴＳ（Ｔｒａｎｓｐｏｒｔ  Ｓｔｒｅａｍ）を固定長のパケットに分割したＴＳパケットが、その伝送単位である。
【０００３】
しかしながら、携帯電話等に代表される携帯端末は、高速に移動したり放送波を受信できない場所に移動したりする場合があるが、その様な場合にはＴＳパケットを正常に受信できないことがあり、放送データを完全に取得できない。ＴＳパケットの欠落は、携帯端末において映像や音声の出力に乱れを生じる。
【０００４】
さらに、放送を視聴している際には一時的な乱れを生むのみであるが、放送を録画する場合にはその乱れが再生の度に生じることになるため、ユーザの心理として視聴機能よりも録画機能について完全な放送データへの要求がより強い。
【０００５】
そこで、放送データを完全に受信できない場合に、受信できなかったデータを放送とは別の通信網を介して補完するシステムが開示されている。特許文献１のシステムも放送で受信できなかったデータを通信によって得る例の一つである。
【０００６】
図１６に示す特許文献１のシステムにおける携帯端末は、放送受信部１１と移動通信部１２と通信補完制御部１３とを備え、通信補完制御部１３は放送受信部１１で受信できなかったＴＳパケットを、図示しないコンテンツサーバへ要求するように移動通信部１２を制御する。特許文献１のシステムはさらに、携帯端末と通信する基地局の輻輳を回避するために、パケット損失率やパケット損失率判定パケット単位数や単位時間の通信補完完了確率や基地局周辺の存在端末数等に基づいた計算を行って、端末が通信補完をするか否かを制御する。
【０００７】
特許文献１は明記していないが、通常、通信網を介してコンテンツの送受信を行うシステムは、コンテンツの提供を許可するかどうかを決定する認証機能を備える。認証には事前に端末あるいはユーザに与える所定の識別情報を用いるのが一般的である。例えば特許文献２の通信カラオケシステムでは、端末ＩＤと回線番号と保守業者コードからなる業務契約情報と呼ぶ識別情報を用いて認証を行い、コンテンツとしてカラオケデータを送受信する。認証に用いる業務契約情報は、事前に値を設定し、コンテンツの送受信側双方の記憶手段で記憶させておく必要がある。
【先行技術文献】
【特許文献】
【０００８】
【特許文献１】特開２００８―７２１４３号公報
【特許文献２】特許第３９８０１１０号公報
【発明の概要】
【発明が解決しようとする課題】
【０００９】
しかしながら、前記特許文献１の通信放送連携システムは、基地局での輻輳制御は行うが、コンテンツサーバにおける輻輳制御について規定していないため、コンテンツサーバにおいて輻輳が発生する可能性がある。携帯端末と基地局の関係における輻輳制御と同等の機能を基地局とコンテンツサーバ間に持たせることによって、コンテンツサーバでの輻輳制御を行うことが可能であると想像できるが、そのような構成とした場合であっても二つの課題が存在する。
【００１０】
一つ目は、輻輳制御が一時的なものであるため、録画機能におけるデータ補完が用途である場合には、輻輳制御で要求が拒否されても携帯端末から補完の要求が再度出されることが想像され、コンテンツサーバへの総アクセスを制限できないことである。
【００１１】
二つ目は、端末からのデータ補完要求に対する制限が輻輳制御を目的とするもののみであって、それ以外の目的のためにコンテンツサーバ主導の制限を課すことができないことである。それ以外の目的とは、例えば、著作権保護を目的として放送における番組単位等のコンテンツごとに厳しさが異なる制限を設定する、といった目的である。
【００１２】
いずれの課題も、特許文献２のような一般的な認証機能と組み合わせると解決できると想像できる。例えば、所定の料金を払っているユーザの端末のみデータ補完を許可する、等の制御である。しかしそのとき、ユーザ数に応じた、かつコンテンツ数に応じた識別情報が必要になるため、その識別情報を決定しまた送受信側双方に記憶させるコストは膨大になる。
【００１３】
本発明は、以上の問題点を鑑みてなされたものであり、受信装置にあらかじめ認証のための識別情報を記憶させる必要がなく、設定のコストを抑えながら、映像や音声コンテンツの補完を実現することのできる放送送信装置および放送受信装置を提供することを目的とする。
【課題を解決するための手段】
【００１４】
本発明の放送受信装置は、放送による受信に失敗した放送データの一部を放送とは別の通信網を介して補完する通信放送連携システムの放送受信装置であって、映像データおよび音声データを放送として受信する放送受信手段と、前記放送受信手段における前記映像データまたは前記音声データの受信が欠落した区間を記憶しておき、当該区間に対する補完要求を生成する補完制御部と、前記通信網を介して、前記補完制御部で生成された補完要求を送信し、前記通信網から前記補完要求に対する応答を受信する通信送受信手段とを備え、前記補完制御部が生成する補完要求は、前記映像データまたは前記音声データに基づく内容を持つ補完許可情報を含む構成を有する。
【００１５】
この構成により、あらかじめ認証のための識別情報を記憶させる必要がなく、設定のコストを抑えながら、映像や音声コンテンツの補完を実現することができる。
【００１６】
また、本発明の送信装置は、放送による送受信に失敗した放送データの一部を放送とは別の通信網を介して補完する、通信放送連携システムの送信装置であって、映像データおよび音声データを放送として送信する放送送信手段と、前記通信網を介して、放送受信装置から前記通信網を介して補完要求を受信し、前記補完要求に対する応答を送信する通信送受信手段と、前記放送受信装置からの補完要求に対して補完処理を実施するかどうかの判定を行う補完制御部とを備え、前記補完制御部は、前記映像データまたは音声データに基づく内容を持つ補完許可情報により、前記放送受信装置からの補完要求に対して補完処理を実施するかどうかの判定を行う構成を有する。
【００１７】
この構成により、あらかじめ認証のための識別情報を記憶させる必要がなく、設定のコストを抑えながら、映像や音声コンテンツの補完を実現することができる。
【発明の効果】
【００１８】
以上のように、本発明の受信装置と送信装置からなる通信放送連携システムでは、放送によって送受信するデータに基づいて受信装置は補完要求を実施し、その要求に応えるかどうかを、映像や音声コンテンツの提供側である送信装置において決定する。
【００１９】
コンテンツの提供者は、任意に条件を設定して、補完要求による通信アクセスを制限することができ、条件を満たす端末に対して補完によって録画コンテンツを完全なものにするサービスを実現することができる。
【００２０】
また、その制限の目的は輻輳制御に限るものではなく、例えば著作権保護を目的としてコンテンツごとに異なる制限を設定したりすることができる。
【００２１】
放送によって送受信するデータに基づいてその制限を実現するため、従来のように受信装置にあらかじめ認証のための識別情報を記憶させる必要がなく、設定のコストを抑えることができる。
【図面の簡単な説明】
【００２２】
【図１】本発明の実施の形態１における受信装置のブロック図
【図２】本発明の実施の形態１における送信装置のブロック図
【図３】本発明の実施の形態におけるネットワーク構成図
【図４】本発明の実施の形態１における補完許可情報生成方法の第１の例を示す図
【図５】本発明の実施の形態１における補完許可情報生成方法の第２の例を示す図
【図６】本発明の実施の形態１における補完許可情報生成方法の第３の例を示す図
【図７】本発明の実施の形態１における補完許可情報生成方法の第４の例を示す図
【図８】本発明の実施の形態２における補完許可情報生成方法の例を示す図
【図９】本発明の実施の形態３における補完許可情報生成方法の例を示す図
【図１０】本発明の実施の形態４における受信装置のブロック図
【図１１】本発明の実施の形態４における補完許可情報生成方法の第１の例を示す図
【図１２】本発明の実施の形態４における補完許可情報生成方法の第２の例を示す図
【図１３】本発明の実施の形態４における補完許可情報生成方法の第３の例を示す図
【図１４】本発明の実施の形態４における補完許可情報生成方法の第４の例を示す図
【図１５】本発明の実施の形態６における補完許可情報生成方法の例を示す図
【図１６】従来の受信装置のブロック図
【発明を実施するための形態】
【００２３】
以下に、本発明の実施の形態について、図面を参照しながら説明する。
【００２４】
（実施の形態１）
図１は、本発明の実施の形態１における受信装置のブロック図、図２は本発明の実施の形態１における送信装置のブロック図、図３は本実施の形態が想定するネットワークの構成図である。以下の説明において図３の基地局３、移動アクセスネットワーク４、インターネット５を合わせて携帯電話網と呼ぶことがある。
【００２５】
受信装置１００は放送受信手段１０１、通信送受信手段１０２、補完制御部１０３、コンテンツ記憶手段１０４を備える。補完制御部１０３は放送データ解析手段１１１、不足コンテンツ区間記憶手段１１２、補完許可情報記憶手段１１３、要求生成／応答解析手段１１４、コンテンツ再構成手段１１５からなる。
【００２６】
送信装置２００は放送送信手段２０１、通信送受信手段２０２、補完制御部２０３、コンテンツ記憶手段２０４を備える。補完制御部２０３は補完許可情報生成手段２１１、補完許可情報記憶手段２１２、放送データ生成手段２１３、補完許可判定手段２１４、要求解析／応答手段２１５からなる。
【００２７】
以下ワンセグ放送の送受信および携帯電話網を介する通信を行う実施の形態について説明するが、本発明は放送あるいは通信の方式をそれらに限定するものではない。
【００２８】
放送受信手段１０１は放送電波を受信し、復調、誤り訂正を行い、ＴＳパケットを復元する。通信送受信手段１０２は、補完制御部１０３から受け取った要求に対して所定の符号化および変調を行って、携帯電話網を介して放送送信装置２００へ送信する。また、通信送受信手段１０２は、携帯電話網を介して放送送信装置２００から受信した電波を復調し復号化を行って補完制御部１０３へ送る。補完制御部１０３は、放送受信時には後に補完処理を行うための各種情報の記録を行い、補完処理時には記録した情報を用いて補完処理を行う。コンテンツ記憶手段１０４は補完制御部１０３から受け取ったコンテンツを記憶する。
【００２９】
受信装置１００における補完制御部１０３において、放送データ解析手段１１１は放送受信手段１０１から受け取ったＴＳパケットからＰＥＳ（Ｐａｃｋｅｔｉｚｅｄ  Ｅｌｅｍｅｎｔａｒｙ  Ｓｔｒｅａｍ）やＳＩ（Ｓｅｒｖｉｃｅ  Ｉｎｆｏｒｍａｔｉｏｎ）を組み立てるとともに、不足している映像や音声コンテンツの区間を検出する。不足コンテンツ区間記憶手段１１２は放送データ解析手段１１１が検出した不足しているコンテンツの区間を記憶する。補完許可情報記憶手段１１３は、補完許可情報を含むＳＩから補完許可情報を取り出して、記憶する。要求生成／応答解析手段１１４は、送信装置２００に対する要求を生成して通信送受信手段１０２へ送る。また要求生成／応答手段１１４は通信送受信手段１０２から受け取った送信装置２００からの応答を解析し、応答に応じた処理を行う。コンテンツ再構成手段１１５は、要求生成／応答手段１１４から補完要求に対する応答を受け取ったとき、コンテンツ記憶手段１０４のコンテンツを更新する。
【００３０】
放送送信手段２０１は、ＴＳパケットに誤り訂正符合を付与し、変調を行って放送電波を送信する。通信送受信装置２０２は携帯電話通信網と通信を行うための符号化処理および信号処理を行う。補完制御部２０３は補完許可情報の生成と、受信装置１００からの補完要求に対してコンテンツの再送を実施するかどうかの判定を行う。コンテンツ記憶手段２０４は映像や音声コンテンツを記憶する。
【００３１】
送信装置２００における補完制御部２０３において、補完許可情報生成手段２１１は、コンテンツ記憶手段２０４が記憶する映像あるいは音声のコンテンツを用いて補完許可情報を生成する。補完許可情報記憶手段２１２は、補完許可情報生成手段２１１が生成した補完許可情報を記憶する。放送データ生成手段２１３は、コンテンツ記憶手段２０４が記憶する情報と補完許可情報記憶手段２１２が記憶する情報とからＴＳを生成し、ＴＳを分割したＴＳパケットを生成する。補完許可判定手段２１４は、要求解析／応答手段２１５から受け取った補完許可情報と補完許可情報記憶手段２１２に記憶する補完許可情報とを比較し、補完許可に対してコンテンツの再送信を行うかどうかを決定する。要求解析／応答手段２１５は、通信送受信手段２０２から受け取った要求を解析し、要求に応じた処理を開始する。また受信装置１００に対する応答を生成する。
【００３２】
次に放送受信装置１００と放送送信装置２００の動作を時系列に説明する。
【００３３】
送信装置２００においてコンテンツの補完サービスを行う場合、番組の放送時間に先駆けて、図示しない指示手段から番組の識別子と補完許可情報生成方法とを補完許可情報生成手段２１１に与え、補完許可情報生成を開始する。本発明は補完許可情報生成方法を特定の方法に限定しないが、補完許可情報生成方法の一例を図４に示す。例えばある番組の開始０分から５分の間に存在する任意の映像ＰＥＳの補完要求をするための補完許可情報は、開始０分直後の映像ＰＥＳを用いて所定の演算ＸＸＸによって生成する。生成した補完許可情報はＴＳ中の番組開始５分時点にＳＩとして送信する。
【００３４】
ここで演算ＸＸＸとは、図示しない演算手段に対して補完許可情報生成要素を与えて実行する演算算法の一例であり、本発明はその算法の詳細を規定するものではない。また、ＹＹＹ、ＺＺＺ、ｘｘｘ、ｙｙｙ、ｚｚｚは図中でそれぞれ独立の算法である例を表現しているものであり、ＸＸＸ同様詳細を規定するものではなく、また本発明は算法の種類の数も規定しない。
【００３５】
補完許可情報生成手段２１１は図４の補完許可情報生成方法を受け取ると、補完許可情報生成方法の各要素について、補完許可情報生成要素をコンテンツ記憶手段２０４から取り出して、所定の演算を適用することによって補完許可情報を生成する。生成した補完許可情報は番組の識別子と補完対象コンテンツ区間および補完許可情報挿入区間と共に補完許可情報記憶手段２１２に記憶する。
【００３６】
番組の放送時、放送データ生成手段２１３はコンテンツ記憶手段２０４から取り出す映像と音声それぞれのＰＥＳと、補完許可情報記憶手段２１２から取り出す補完許可情報と補完対象コンテンツ区間とから生成するＳＩとから、放送で送信するＴＳを生成する。ＴＳ生成において放送データ生成手段２１３は補完許可情報記憶手段の補完許可情報挿入区間を参照し、ＴＳにおいて適切な箇所に補完許可情報を配置する。放送データ生成手段２１３はＴＳをＴＳパケットに分割し、放送送信手段２０１に逐次送る。
【００３７】
放送送信手段２０１は、放送データ生成手段２１３からＴＳパケットを受け取り、ワンセグ放送の方式にしたがって誤り訂正符合を付与し、変調を行って放送電波を送信する。
【００３８】
受信装置１００において放送受信手段１０１は放送電波を受信し、復調、誤り訂正を行い、ＴＳパケットを復元して放送データ解析手段１１１に渡す。
【００３９】
放送データ解析手段１１１は放送受信手段１０１から受け取ったＴＳパケットから、映像および音声の各ＰＥＳや、補完許可情報を含むＳＩを組み立てる。組み立てたＰＥＳはコンテンツ記憶手段１０４に記憶し、またＳＩから抽出する補完許可情報と補完対象コンテンツ区間とを番組の識別子と共に補完許可情報記憶手段１１３に記憶する。放送データ解析手段１１１はまた、ＴＳパケットのＰＩＤ（Ｐacket識別子）や組み立てたＰＥＳパケットヘッダ中の再生時刻情報等から、受信に失敗したＴＳパケットを検出する。ＴＳパケットの受信失敗を検出すると、そのＴＳパケットが構成するはずのＰＥＳの種類と再生時刻情報とを番組の識別子と共に不足コンテンツ区間記憶手段１１２に記憶する。
【００４０】
放送開始後任意の時刻において、例えば図示しない指示手段から録画の完全化が指示されたとき、コンテンツ再構成手段１１５は不足コンテンツ区間記憶手段１１２から、放送時に受信に失敗したＰＥＳを検索する。不足コンテンツ区間記憶手段１１２が記憶する受信に失敗したＰＥＳそれぞれに対し、そのＰＥＳが含まれる区間についての補完許可情報が補完許可情報記憶手段１１３に存在するかどうか検索する。補完許可情報が補完許可情報記憶手段１１３に存在するとき、その補完許可情報と番組の識別子とＰＥＳの再生時刻情報とを要求生成／応答解析手段１１４に送る。
【００４１】
要求生成／応答解析手段１１４は補完許可情報と番組の識別子とＰＥＳの再生時刻情報とを受け取ると、補完要求メッセージを作成し、通信送受信手段１０２に送る。
【００４２】
通信送受信手段１０２は、要求生成／応答解析手段１１４から受け取った補完要求に対して所定の符号化および信号処理を行って、携帯電話網を介して放送送信装置２００へ送信する。
【００４３】
放送送信装置２００の通信送受信手段２０２は放送受信装置１００からの信号を受け取ると、所定の信号処理と復号化を行って要求メッセージを取り出し、要求解析／応答手段２１５へ送る。
【００４４】
要求解析／応答手段２１５は、要求メッセージが補完要求である場合、番組の識別子と再生時刻情報と補完許可情報とを取り出して補完許可判定手段２１４へ送る。
【００４５】
補完許可判定手段２１４は番組の識別子と再生時刻情報と補完許可情報とを受け取ると、受け取った番組の識別子の受け取った再生時刻に関する補完許可情報を、補完許可情報記憶手段２１２を検索して取得し、要求解析／応答手段２１５から受け取った補完許可情報と等しいかどうか比較を行う。等しい場合にはコンテンツ記憶手段２０４から要求に対応するＰＥＳを取り出し、要求解析／応答手段２１５へ送る。
【００４６】
要求解析／応答手段２１５は補完許可判定手段２１４から受け取ったＰＥＳと番組の識別子とを用いて補完応答メッセージを作成し、通信送受信手段２０２へ送る。
【００４７】
通信送受信手段２０２は要求解析／応答手段２１５から補完応答メッセージを受け取ると、携帯電話網を介して受信装置１００へ送信するための符号化および信号処理を行って送信する。
【００４８】
放送受信装置１００の通信送受信装置１０１は、携帯電話網を介して放送送信装置２００から受信した電波を復調し復号化を行って要求生成／応答解析手段１１４に送る。
【００４９】
要求生成／応答解析手段１１４は応答メッセージが補完応答であるとき、番組の識別子とＰＥＳを取り出して、コンテンツ再構成手段１１５へ送る。
【００５０】
コンテンツ再構成手段１１５は要求生成／応答解析手段１１４から番組の識別子とＰＥＳとを用いて、コンテンツ記憶手段１０４の内容を更新する。コンテンツ記憶手段１０４の更新とは通常はＰＥＳの挿入と同意であるが、放送受信時の録画処理において受信に失敗したＰＥＳに対して代替のＰＥＳを加えてコンテンツ記憶手段１０４のコンテンツが構成されている場合は、その代替ＰＥＳの削除を含む。
【００５１】
このようにして受信装置１００は、不足コンテンツ区間記憶手段１１２に記憶する不足区間それぞれについて補完要求からコンテンツ再構成の手順を繰り返して、コンテンツ記憶手段１０４のコンテンツを本来あるべき状態に近づける。不足するＰＥＳに対する補完許可情報を全て不足コンテンツ区間記憶手段１１２に持っている場合には、コンテンツ記憶手段１０４のコンテンツは放送から全てのＰＥＳを失敗することなく取得したときと同じになる。
【００５２】
受信装置１００では任意のタイミングにおいて、図示しない指示手段から番組の識別子とともに不足コンテンツ区間または補完許可情報の削除を指示されると、不足コンテンツ区間記憶手段１１２または補完許可情報記憶手段１１３内の、指示された番組に関する情報を消去する。
【００５３】
送信装置２００では任意のタイミングにおいて、図示しない指示手段から番組の識別子とともに補完許可情報生成方法または補完許可情報の削除を指示されると、補完許可情報生成手段２１１または補完許可情報記憶手段２１２内の、指示された番組に関する情報を消去する。
【００５４】
なお、図４に示した補完許可情報生成方法は一つの例を示したものであって、本発明は補完許可情報生成方法をこの方法に制限するものではない。例えば図５に示す補完許可情報生成方法は、補完許可情報生成要素の種類と、その補完許可情報生成要素によって補完処理を行うことを許可する補完対象区間との種類が、図４の例よりも多い場合の例である。図５の補完許可情報生成方法を用いることによって、補完対象コンテンツ区間を図４の例よりも細かく区切ることができる。
【００５５】
また、例えば図６に示す補完許可情報生成方法は、補完対象コンテンツ区間、補完許可情報生成要素、補完許可情報生成演算の組み合わせは図４の例と同じであるが、補完許可情報挿入区間が、図４が各補完許可情報に対して１区間であるのに対し、２区間持つ。このことは各補完許可情報を番組内に２回ずつＳＩとして放送によって送信することを示す。図６の補完許可情報生成方法を用いることによって、受信装置１００はあるコンテンツ区間に対する補完許可情報の受信に一度失敗しても、もう一方の補完許可情報の受信に成功すれば、後の補完要求ができることになり、図４の例よりも制約が厳しくない補完サービスを実現することができる。ここで、図６の例では補完対象コンテンツ区間ごとに２つずつ補完許可情報挿入区間を持つ場合を示しているが、補完許可情報挿入区間の数は補完対象コンテンツ区間それぞれで異なっていてもよい。
【００５６】
また、図７に示す補完許可情報生成方法は、図６の例と同じく補完対象コンテンツ区間ごとに２つずつ補完許可挿入区間を持つが、２つの補完許可情報はそれぞれ異なる補完許可情報生成要素を用いて生成する例を示す。
【００５７】
なお図４から図７の例では補完許可情報生成要素を全て単数の映像ＰＥＳとしているが、補完許可情報生成要素は音声ＰＥＳであってもよいし、複数のＰＥＳの組み合わせであってもよい。また、補完許可情報生成要素はＰＥＳに限るものではなく、任意の数の映像フレーム、音声フレーム、ＴＳパケット等であってもよい。さらに、本実施の形態では不足コンテンツ区間や補完の単位を単数のＰＥＳとしているが、これも複数でもよく、またＰＥＳでなく映像フレーム、音声フレーム、ＴＳパケット等であってもよい。
【００５８】
（実施の形態２）
本発明の実施の形態２における受信装置および送信装置は実施の形態１と同じく、図１および図２に示す構成を持つ。
【００５９】
以下実施の形態２の動作について説明する。
【００６０】
実施の形態２における送信装置２００が用いる補完許可情報生成方法は、図８に示すように、補完許可情報識別子と、連携補完許可情報識別子とを含む。
【００６１】
送信装置２００において番組の放送時間に先駆けて補完許可情報を生成する際、補完許可情報生成手段２１１は図８の補完許可情報生成方法を用いて補完許可情報を生成し、番組の識別子と補完対象コンテンツ区間および補完許可情報挿入区間とさらに補完許可情報識別子と連携補完許可情報識別子とをあわせて補完許可情報記憶手段２１２に記憶する。
【００６２】
番組放送時、放送データ生成手段２１３は、補完許可情報記憶手段２１２から取り出す補完許可情報と補完対象コンテンツ区間とさらに補完許可情報識別子と連携補完許可情報識別子とを含むＳＩを生成する。
【００６３】
受信装置１００において放送データ解析手段１１１は補完許可情報を含むＳＩを組み立てると、そのＳＩから抽出する補完許可情報と補完対象コンテンツ区間とさらに補完許可情報識別子と連携補完許可情報識別子とを組にして、補完許可情報記憶手段１１３に記憶する。
【００６４】
コンテンツ再構成手段１１５が補完要求のため、不足コンテンツ区間記憶手段１１２が記憶する、受信に失敗したＰＥＳそれぞれに対し、そのＰＥＳが含まれる区間についての補完許可情報が補完許可情報記憶手段１１３に存在するかどうか検索する際、補完許可情報が一つ見つかると、その補完許可情報と組で記憶されている連携補完許可情報識別子を確認し、その識別子と等しい補完許可情報識別子を持つ補完許可情報が補完許可情報記憶手段１１３に存在するかどうかを検索する。連携補完許可情報識別子を持つ補完許可情報が補完許可情報記憶手段１１３に存在したときに限り、コンテンツ再構成手段１１５は補完許可情報の組と番組の識別子とＰＥＳの再生時刻情報とを要求生成／応答解析手段１１４に送る。
【００６５】
要求生成／応答解析手段１１４は、番組の識別子とＰＥＳの再生時刻情報と複数の補完許可情報とを含む補完要求メッセージを作成し、通信送受信手段１０２に送る。
【００６６】
送信装置２００の要求解析／応答手段２１５は、補完要求から番組の識別子と再生時刻情報と補完許可情報の組とを補完許可判定手段２１４へ送る。
【００６７】
補完許可判定手段２１４は番組の識別子と再生時刻情報と補完許可情報の組とを受け取ると、受け取った番組の識別子の受け取った再生時刻に関する補完許可情報を、補完許可情報記憶手段２１２を検索して取得し、要求解析／応答手段２１５から受け取った補完許可情報と等しいかどうか比較を行う。このとき補完許可情報記憶手段２１２の補完許可情報における連携補完許可情報識別子を持つ全ての補完許可情報を、要求解析／応答手段２１５から受け取っているかどうかを確認し、全て受け取っていてかつそれぞれの補完許可情報が補完許可情報記憶手段２１２の補完許可情報と等しい場合にのみ、コンテンツ記憶手段２０４から要求に対応するＰＥＳを取り出し、要求解析／応答手段２１５へ送る。
【００６８】
それ以外の動作は実施の形態１の動作と同じとする。
【００６９】
本実施の形態のような補完許可情報生成方法を用い、受信装置および送信装置の構成要素がそれに応じた上記の動作をすることによって、番組の複数個所を正常に受信した受信端末のみ補完サービスを許す、という実施の形態１の制限よりも厳しいサービスの制限が実現できる。
【００７０】
なお、図８の補完許可情報生成方法では連携補完許可情報識別子を各要素それぞれ１件としているが、複数件としてもよく、またそれぞれの要素で件数が異なっていてもよい。
【００７１】
（実施の形態３）
本発明の実施の形態３における受信装置および送信装置は実施の形態１と同じく、図１および図２に示す構成を持つものとし、また各構成要素は実施の形態１と同じ動作を行う。
【００７２】
実施の形態３における送信装置２００が用いる補完許可情報生成方法は、図９に示すように、補完許可情報挿入区間を広告映像に関する映像ＰＥＳや音声ＰＥＳの間とする。
【００７３】
番組の放送時のＴＳ生成において、放送データ生成手段２１３は補完許可情報記憶手段２１２の補完許可情報挿入区間を参照し、ＴＳにおいて適切な箇所に補完許可情報を配置する。図９に示す補完許可情報生成方法を用いて生成し、補完許可情報記憶手段２１２に記憶させた補完許可情報挿入区間は、広告映像のＰＥＳを送信している間となる。
【００７４】
このことによって、放送時において広告映像の録画を行っていた受信端末のみ補完サービスを受けることを許す、というサービスの制限が実現できる。
【００７５】
（実施の形態４）
図１０は本発明の実施の形態４における受信装置のブロック図である。
【００７６】
受信装置３００も実施の形態１の受信装置１００と同じく、送信装置と連携して動作する。受信装置３００が連携する送信装置のブロック構成は、図２に示す実施の形態１の送信装置２００と同じとする。
【００７７】
受信装置３００は図１における受信装置１００と比較して、補完許可情報記憶手段１１３を備えない代わりに、補完許可情報生成手段３１１を備えて構成される。その他の構成要素は図１の受信装置１００と同じとし、それぞれの構成要素には同じ符号を付与している。
【００７８】
補完許可情報生成手段３１１は、送信装置２００で生成される補完許可情報生成方法を記憶し、コンテンツ記憶手段１０４が記憶する映像あるいは音声のコンテンツを用いて補完許可情報を生成する。
【００７９】
次に放送受信装置３００と放送送信装置２００の動作を時系列に説明する。
【００８０】
送信装置２００においてコンテンツの補完サービスを行う場合、番組の放送時間に先駆けて、図示しない指示手段から番組の識別子と補完許可情報生成方法とを補完許可情報生成手段２１１に与え、記憶させるとともに、補完許可情報生成を開始する。本発明は補完許可情報生成方法を特定の方法に限定しないが、補完許可情報生成方法の一例を図１１に示す。
【００８１】
送信装置２００の補完許可情報生成手段２１１は図１１の補完許可情報生成方法を受け取ると、補完許可情報生成方法の各要素について、補完許可情報生成要素をコンテンツ記憶手段２０４から取り出して、所定の演算を適用することによって補完許可情報を生成する。生成した補完許可情報は番組の識別子と補完対象コンテンツ区間と共に補完許可情報記憶手段２１２に記憶する。
【００８２】
送信装置２００の補完許可情報生成手段２１１はまた、所定のタイミングで、記憶している番組の識別子と補完許可情報生成方法とを含むＳＩを生成し、放送データ生成手段２１３に送る。所定のタイミングとは、任意に設定する固定周期でも、番組表の送信周期でもよく、本発明は特に制限しない。
【００８３】
番組の放送時、放送データ生成手段２１３はコンテンツ記憶手段２０４から取り出す映像と音声それぞれのＰＥＳと、補完許可情報記憶手段２１２から取り出す補完許可情報とから、放送で送信するＴＳを生成する。補完許可情報生成手段２１１から番組の識別子と補完許可情報生成方法とを含むＳＩを受け取る場合にはそのＳＩもＴＳの一部とする。放送データ生成手段２１３はＴＳをＴＳパケットに分割し、放送送信手段２０１に逐次送る。
【００８４】
放送送信手段２０１は、放送データ生成手段２１３からＴＳパケットを受け取り、ワンセグ放送の方式にしたがって誤り訂正符合を付与し、変調を行って放送電波を送信する。
【００８５】
受信装置３００において放送受信手段１０１は放送電波を受信し、復調、誤り訂正を行い、ＴＳパケットを復元して放送データ解析手段１１１に渡す。
【００８６】
放送データ解析手段１１１は放送受信手段１０１から受け取ったＴＳパケットから、映像および音声の各ＰＥＳや、補完許可情報生成方法を含むＳＩを組み立てる。組み立てたＰＥＳはコンテンツ記憶手段１０４に記憶し、またＳＩから抽出する番組の識別子と補完許可情報生成方法とを補完許可情報生成手段３１１に送り、記憶させる。放送データ解析手段１１１はまた、ＴＳパケットのＰＩＤや組み立てたＰＥＳパケットヘッダ中の再生時刻情報等から、受信に失敗したＴＳパケットを検出する。ＴＳパケットの受信失敗を検出すると、そのＴＳパケットが構成するはずのＰＥＳの種類と再生時刻情報とを番組の識別子と共に不足コンテンツ区間記憶手段１１２に記憶する。
【００８７】
放送開始後任意の時刻において、例えば図示しない指示手段から録画の完全化が指示されたとき、コンテンツ再構成手段１１５は不足コンテンツ区間記憶手段１１２から、放送時に受信に失敗したＰＥＳを検索する。不足コンテンツ区間記憶手段１１２が記憶する受信に失敗したＰＥＳそれぞれに対し、番組の識別子とＰＥＳの再生時刻情報とを補完許可情報生成手段３１１に送る。
【００８８】
補完許可情報生成手段３１１は、コンテンツ再構成手段１１５から番組の識別子とＰＥＳの再生時刻情報とを受け取ったとき、その番組についての補完許可情報生成方法を事前に取得している場合、その補完許可情報生成方法を検索し、不足しているＰＥＳの補完許可情報を生成するための補完許可情報生成要素を特定する。続いて特定した補完許可情報生成要素がコンテンツ記憶手段１０４に存在するかどうかを検索し、存在した場合にはその補完許可情報生成要素に補完許可情報生成演算を適用して補完許可情報を生成し、生成した補完許可情報を番組の識別子とＰＥＳの再生時刻情報と共に要求生成／応答解析手段１１４に送る。
【００８９】
要求生成／応答解析手段１１４は補完許可情報と番組の識別子とＰＥＳの再生時刻情報とを受け取ると、補完要求メッセージを作成し、通信送受信手段１０２に送る。
【００９０】
通信送受信手段１０２は、要求生成／応答解析手段１１４から受け取った補完要求に対して所定の符号化および信号処理を行って、携帯電話網を介して放送送信装置２００へ送信する。
【００９１】
その後、放送送信装置２００が放送受信装置３００からの信号を受け取ってから、放送受信装置３００においてコンテンツ記憶手段１０４の内容を更新するまでの動作は実施の形態１の受信装置１００および送信装置２００の動作と同じである。
【００９２】
受信装置３００では任意のタイミングにおいて、図示しない指示手段から番組の識別子とともに不足コンテンツ区間または補完許可情報生成方法の削除を指示されると、不足コンテンツ区間記憶手段１１２または補完許可情報生成手段３１１内の、指示された番組に関する情報を消去する。
【００９３】
送信装置２００では任意のタイミングにおいて、図示しない指示手段から番組の識別子とともに補完許可情報生成方法または補完許可情報の削除を指示されると、補完許可情報生成手段２１１または補完許可情報記憶手段２１２内の、指示された番組に関する情報を消去する。
【００９４】
なお、図１１に示した補完許可情報生成方法は一つの例を示したものであって、この方法に制限するものではない。
【００９５】
例えば、図４と図５との関係のように、補完許可情報生成要素の種類と、その補完許可情報生成要素によって補完処理を行うことを許可する補完対象区間との種類が、図１１の例よりも多くてもよい。
【００９６】
また、例えば図１２に示す補完許可情報生成方法のように、同じ補完対象コンテンツ区間に対して、複数の補完許可情報生成要素を持つものであってもよい。この例の補完許可情報生成方法を使用する送信装置は補完許可情報記憶手段２１２にひとつの補完対象コンテンツ区間に対して複数の補完許可情報を持つものとする。また、受信装置の補完許可情報生成手段３１１は、複数の補完許可情報要素のうちいずれかを用いて補完許可情報を生成するものとする。このことによって、受信装置３００はあるコンテンツ区間に対する補完許可情報生成要素の受信に一度失敗しても、不足するＰＥＳを含む別の補完許可情報生成要素の受信に成功すれば、後の補完要求ができることになり、図１１の例よりも制約が厳しくない補完サービスを実現することができる。
【００９７】
ここで、図１２の例では補完対象コンテンツ区間ごとに２つずつ補完許可情報生成要素を持つ場合を示しているが、補完許可情報生成要素の数は補完対象コンテンツ区間それぞれで異なっていてもよい。さらに、図１２は複数の補完対象コンテンツ区間が同一である例であるが、同一ではなく一部重複しているものが存在してもよい。
【００９８】
また、図１３に示すように、実施の形態２における図８の補完許可情報生成方法と同様に、各要素が補完許可情報識別子と連携補完許可情報識別子とを持ってもよい。この例の補完許可情報生成方法を使用する受信装置は、コンテンツ再構成手段１１５が補完要求を実施しようとする際、補完許可情報生成手段３１１は、対象の補完対象コンテンツ区間に対する補完許可情報生成要素を用いて補完許可情報を生成すると共に、連携補完許可情報識別子を補完許可情報識別子に持つ要素の補完許可情報生成要素がコンテンツ記憶手段１０２に存在するかどうかを検索し、存在したときに限りその補完許可情報生成要素を用いて補完許可情報を生成して、補完許可情報の組と番組の識別子とＰＥＳの再生時刻情報とを要求生成／応答解析手段１１４に送る。また送信装置は、通信送受信手段１０２を経由して受信装置から受け取る補完要求に対して実施の形態２と同じ動作をする。このことによって、番組の複数個所を正常に受信した受信端末のみ補完サービスを許す、という、図１１の補完許可情報生成方法を用いる場合よりも厳しいサービスの制限が実現できる。
【００９９】
また、図１４に示すような補完許可情報生成方法を用いてもよい。この例の補完許可情報を用いる送信装置は、各要素に対する補完許可情報を生成する際、補完許可情報生成手段２１１は、複数の補完許可情報生成要素を補完許可情報生成演算に適用して補完許可情報を生成する。また受信装置は、コンテンツ再構成手段１１５が補完要求を実施しようとする際、補完許可情報生成手段３１１はコンテンツ記憶手段１０４を検索し、補完許可情報生成方法における補完対象コンテンツ区間に対する全ての補完許可情報生成要素が存在するときに限り補完許可情報を生成する。このことによって図１３の補完許可情報生成方法を用いる場合と同等のサービスの制限が実現できる。
【０１００】
ここで図１４の補完許可情報生成方法において、補完対象コンテンツ区間ごとに２つずつ補完許可情報生成要素を持つ場合を示しているが、補完許可情報生成要素の数は補完対象コンテンツ区間それぞれで異なっていてもよい。
【０１０１】
また補完許可情報生成方法において、補完許可情報生成要素が広告映像のＰＥＳや広告音声のＰＥＳに基づくものであってもよい。
【０１０２】
なお実施の形態1と同じく、補完許可情報生成要素はＰＥＳに限るものではなく、またネットワーク構成や通信方式をワンセグ放送や形態電話網に限るものではない。
【０１０３】
（実施の形態５）
本発明の実施の形態５における受信装置のブロック図および送信装置のブロック図は、実施の形態４におけるそれぞれのブロック図と同じとする。
【０１０４】
実施の形態５における受信装置はその動作において、補完許可情報生成方法を放送電波によって放送受信手段１０１を経由して受け取るのではなく、携帯電話網および通信送受信手段１０２を経由して受け取る点で、実施の形態４における受信装置と異なる。同様に実施の形態５における送信装置は、補完許可情報生成方法を放送電波によって放送送信手段２０１を経由して送るのではなく、携帯電波網および通信送受信手段２０２を経由して送る。
【０１０５】
以下、実施の形態５における受信装置および送信装置の動作について説明する。
【０１０６】
送信装置２００においてコンテンツの補完サービスを行う場合、番組の放送時間に先駆けて、図示しない指示手段から番組の識別子と補完許可情報生成方法とを補完許可情報生成手段２１１に与え、記憶させるとともに、補完許可情報生成を開始する。
【０１０７】
受信装置３００において、任意の時点で例えば図示しない指示装置から番組の識別子を要求生成／応答解析手段１１４に送り、補完許可情報生成方法要求を開始する。
【０１０８】
要求生成／応答解析手段１１４は番組の識別子を受け取ると、補完許可情報生成方法要求メッセージを作成し、通信送受信手段１０２に送る。
【０１０９】
通信送受信手段１０２は、要求生成／応答解析手段１１４から受け取った補完許可情報生成方法要求に対して所定の符号化および信号処理を行って、携帯電話網を介して放送送信装置２００へ送信する。
【０１１０】
放送送信装置２００の通信送受信手段２０２は放送受信装置３００からの信号を受け取ると、所定の信号処理および復号化を行って補完許可情報生成方法要求メッセージを取り出し、要求解析／応答手段２１５へ送る。
【０１１１】
要求解析／応答手段２１５は、補完許可情報生成方法要求メッセージを受け取ると、要求する番組の識別子に対する補完許可情報生成方法が補完許可情報生成手段２１１に存在するかどうかを確認し、存在する場合にその補完許可情報生成方法を含む補完許可情報生成方法応答メッセージを作成し、通信送受信手段２０２へ送る。
【０１１２】
通信送受信手段２０２は、要求解析／応答手段２１５から受け取った補完許可情報生成方法応答に対して所定の符号化および信号処理を行って、携帯電話網を介して放送受信装置３００へ送信する。
【０１１３】
放送受信装置３００の通信送受信手段１０２は放送送信装置２００からの信号を受け取ると、所定の信号処理および復号化を行って補完許可情報生成方法応答メッセージを取り出し、要求生成／応答解析手段１１４へ送る。
【０１１４】
要求生成／応答解析手段１１４は通信送受信手段１０２から補完許可情報生成方法応答メッセージを受け取ると、番組の識別子と補完許可情報生成方法とを取り出し、補完許可情報生成手段３１１に送り、記憶させる。
【０１１５】
実施の形態５の送信装置はそれ以外の動作において、補完許可情報生成手段２１１が記憶している番組の識別子と補完許可情報生成方法とを含むＳＩを生成して放送データ生成手段２１３に送ることがないことと、放送データ生成手段２１３が生成するＴＳに番組の識別子と補完許可情報生成方法とを含むＳＩを含まないことを除いて、実施の形態４の送信装置と同じである。
【０１１６】
また、実施の形態５の受信装置はそれ以外の動作において、放送データ解析手段１１１が補完許可情報生成方法を含むＳＩを組み立てて補完許可情報生成手段３１１に送ることがないことを除いて、実施の形態４の受信装置と同じである。
【０１１７】
（実施の形態６）
本発明の実施の形態６における受信装置および送信装置は実施の形態１と同じく、図１および図２に示す構成を持つ。
【０１１８】
以下実施の形態６の動作について説明する。
【０１１９】
番組の放送時間に先駆けた送信装置２００における設定処理での動作と、放送中の受信装置１００および送信装置２００の動作は実施の形態１と同様である。放送開始後任意の時刻における、受信装置１００の構成手段による送信装置２００への送信も実施の形態１と同様である。
【０１２０】
放送送信装置２００の通信送受信手段２０２は放送受信装置１００からの信号を受け取ると、所定の信号処理と復号化を行って要求メッセージを取り出し、要求解析／応答手段２１５へ送る。
【０１２１】
要求解析／応答手段２１５は、要求メッセージが補完要求である場合、番組の識別子と再生時刻情報と補完許可情報とを取り出して補完許可判定手段２１４へ送る。
【０１２２】
補完許可判定手段２１４は番組の識別子と再生時刻情報と補完許可情報とを受け取ると、受け取った番組の識別子の受け取った再生時刻に関する補完許可情報を、補完許可情報記憶手段２１２を検索して取得し、要求解析／応答手段２１５から受け取った補完許可情報と等しいかどうか比較を行う。等しい場合にはコンテンツ記憶手段２０４から要求に対応するＰＥＳを取り出し、要求解析／応答手段２１５へ送る。
【０１２３】
さらに補完許可判定手段２１４は、補完許可情報記憶手段２１２から取得した補完許可情報と要求解析／応答手段２１５から受け取った補完許可情報とを比較して等しい場合に、補完許可情報記憶手段２１２を検索して、要求解析／応答手段２１５から受け取った再生時刻が補完許可情報記憶手段２１２における同番組の補完許可挿入区間のいずれかと隣接するかどうかを判定する。例えば補完許可情報記憶手段２１２が図４の補完許可情報生成方法に基づいた情報を記憶している場合であって、要求解析／応答手段２１５から受け取った再生時刻が開始１０分のものであった場合に、開始５分の最初の映像ＰＥＳに演算ＹＹＹを適用して生成する補完許可情報の補完許可情報挿入区間と開始５分の最初の映像ＰＥＳに演算ｙｙｙを適用して生成する補完許可情報の補完許可情報挿入区間とに隣接する。
【０１２４】
この判定で隣接すると判定した全ての補完許可情報を、補完許可判定手段２１４は補完許可情報記憶手段２１２から取り出し、コンテンツ記憶手段２０４から取り出した要求に対するＰＥＳとともに要求解析／応答手段２１５へ送る。
【０１２５】
要求解析／応答手段２１５は補完許可判定手段２１４から受け取ったＰＥＳと番組の識別子とを用いて補完応答メッセージを作成し、通信送受信手段２０２へ送る。補完許可判定手段２１４からＰＥＳとともに補完許可情報を受け取った場合には、補完応答メッセージには補完許可情報を含む。
【０１２６】
通信送受信手段２０２は要求解析／応答手段２１５から補完応答メッセージを受け取ると、携帯電話網を介して受信装置１００へ送信するための符号化および信号処理を行って送信する。
【０１２７】
放送受信装置１００の通信送受信装置１０１は、携帯電話網を介して放送送信装置２００から受信した電波を復調し復号化を行って要求生成／応答解析手段１１４に送る。
【０１２８】
要求生成／応答解析手段１１４は応答メッセージが補完応答であるとき、番組の識別子とＰＥＳを取り出して、コンテンツ再構成手段１１５へ送る。補完応答が補完許可情報を含む場合、その補完許可情報を用いて補完許可情報記憶手段１１３を更新する。補完許可情報記憶手段１１３を更新するとは、例えばその補完許可情報が補完許可記憶手段１１３にないときに追加記憶することである。
【０１２９】
コンテンツ再構成手段１１５は要求生成／応答解析手段１１４から番組の識別子とＰＥＳとを用いて、コンテンツ記憶手段１０４の内容を更新する。
【０１３０】
このように実施の形態６の受信装置および送信装置では、放送を介した補完許可情報の取得に失敗した場合に、通信を介して補完許可情報の補完を行うことができる。
【０１３１】
例えば実施の形態６の受信装置および送信装置からなるシステムが、図1５に示すような、全ての補完許可情報挿入区間が広告の転送区間である補完許可情報生成方法を使用するとき、一部の広告を正常に受信し、別の一部の広告を正常に受信できなかった受信装置に対して、広告の再受信を行うことを条件に番組情報を提供するというサービスを実現することができる。具体的には、ある受信端末において、開始１１分の映像ＰＥＳの受信と開始１８分の映像ＰＥＳと開始１８分に放送される補完許可情報を含むＳＩの受信とをともに失敗した場合に、受信端末には開始１１分の映像ＰＥＳの補完を行うための補完許可情報がないが、開始２６分に放送される補完許可情報を含むＳＩの受信が正常にできていれば、先にに開始１８分の映像ＰＥＳの補完処理を行うことによって、開始１１分の映像ＰＥＳの補完を行うための補完許可情報を得て、開始１１分の映像ＰＥＳの補完を行うことができる。
【０１３２】
なお、実施の形態６の動作の説明においては、送信装置２００において補完応答メッセージを生成する場合に、隣接するＰＥＳと補完許可情報とをまとめて生成するとしているが、この方式にかぎるものではなく、ＰＥＳと補完許可情報とを別々に送信して受信装置１００がそれぞれを処理する方式であってもよい。
【産業上の利用可能性】
【０１３３】
本発明の受信装置と送信装置からなる通信放送連携システムでは、映像や音声コンテンツの提供側において補完要求に対してその実施をするかどうかの判定をすることができる。
【０１３４】
コンテンツの提供側は条件によって通信アクセスを限定することができ、またその制限の目的は輻輳制御に限ったものではなく、さらにその設定のコストは限定的なものである。コストが低いことによって放送事業者は従来よりも補完サービスを実現しやすい。
【０１３５】
携帯端末では放送によって完全なデータを受信できない場合が多く、例えば機能において補完サービスは有用である。
【符号の説明】
【０１３６】
１００    受信装置
１０１    放送受信手段
１０２    放送送受信手段
１０３    補完制御部
１０４    コンテンツ記憶手段
１１１    放送データ解析手段
１１２    不足コンテンツ区間記憶手段
１１３    補完許可手段記憶手段
１１４    要求生成／応答解析手段
１１５    コンテンツ再構成手段
２００    送信装置
２０１    放送送信手段
２０２    通信送受信手段
２０３    補完制御部
２０４    コンテンツ記憶手段
２１１    補完許可情報生成手段
２１２    補完許可情報記憶手段
２１３    放送データ生成手段
２１４    補完許可判定手段
２１５    要求解析／応答手段
３    基地局
４    移動アクセスネットワーク
５    インターネット
３００    受信装置
３０１    補完制御部
３１１    補完許可情報生成手段
【図１】
2011114358.tif 000003
【図２】
2011114358.tif 000004
【図３】
2011114358.tif 000005
【図４】
2011114358.tif 000006
【図５】
2011114358.tif 000007
【図６】
2011114358.tif 000008
【図７】
2011114358.tif 000009
【図８】
2011114358.tif 000010
【図９】
2011114358.tif 000011
【図１０】
2011114358.tif 000012
【図１１】
2011114358.tif 000013
【図１２】
2011114358.tif 000014
【図１３】
2011114358.tif 000015
【図１４】
2011114358.tif 000016
【図１５】
2011114358.tif 000017
【図１６】
2011114358.tif 000018